(57)【特許請求の範囲】
【請求項１】
頭部と軸部を備えたピンに着脱可能なストラップ用取り付け金具であって、
ストラップベルトが挿入される長穴が上部に形成されるとともに、前記ピンを挿入させるための装着穴が下部に形成されたクランク形状のベース板金と、
一端が前記ベース板金の上部に取り付けられ、前記ベース板金の上部との接合部を支点として弾性変形可能な板バネ部材と、を有し、
前記板バネ部材は、前記ストラップ用取り付け金具が前記ピンに固定されるロック状態と、前記ストラップ用取り付け金具が前記ピンに対して着脱可能であるロック解除状態になるように弾性変形することを特徴とするストラップ用取り付け金具。
【請求項２】
前記板バネ部材は、複数の操作部を有し、
前記複数の操作部を操作することで、前記ロック状態を解除することを特徴とする請求項１に記載のストラップ用取り付け金具。
【請求項３】
前記ロック状態にあるときに前記ストラップ用取り付け金具に荷重が与えられた場合、前記板バネ部材は前記ベース板金の下部と当接することを特徴とする請求項１または２に記載のストラップ用取り付け金具。
【請求項４】
前記ベース板金は、半抜き加工された突出部を有し、
前記板バネ部材には、前記突出部と当接する補助バネ部が形成されていることを特徴とする請求項１から３のいずれか１項に記載のストラップ用取り付け金具。
【請求項５】
前記補助バネ部は、スリットと先端の閉じたループ部が形成されており、
前記板バネ部材は、前記ベース板金の上部に取り付けられた前記一端と前記補助バネ部の前記ループ部で閉じられたループ形状であることを特徴とする請求項４に記載のストラップ用取り付け金具。
【請求項６】
前記複数の操作部の先端は、立ち曲げられていることを特徴とする請求項２に記載のストラップ用取り付け金具。
【発明の詳細な説明】
【技術分野】
【０００１】
本発明は、カメラなどのポータブル機器にストラップを着脱可能なストラップ用取り付け金具に関する。
【背景技術】
【０００２】
カメラなどのポータブル機器は、その持ち運びを容易にするために、ショルダベルトなどのストラップベルトを着脱可能に取り付けて携行するようになっている。
【０００３】
例えば、一般的なカメラ本体には、両側面上部に長方形の長孔を有するストラップ用取り付け金具が固定されている。ストラップベルトの一端は、一方の取り付け金具の長穴に挿通され、ストラップベルトの先端をまとめるための口輪に通された後、日の字環と呼ばれる格子部材に通して固定される。ストラップベルトの他端についても同様に、他方の取り付け金具に取り付けることで、両吊りのショルダベルトとすることができる。また、ストラップベルトを取り外すときには、取り付け作業とは逆にストラップベルトを日の字環、口輪の順に抜く作業を行う。
【０００４】
しかしながら、一般的なカメラにおけるストラップの取り付け機構は、ストラップベルトの取り付け時および取り外し時に、両方の日の字環と口輪からの抜き差しを行わなければならないため、操作に大変手間がかかるという問題を有していた。
【０００５】
上記問題を解決するために、特許文献１では、カメラ本体から突出した頭部と軸部とからなるピンに対して、ストラップを簡単な方法で着脱可能とするストラップ用取り付け金具が開示されている。特許文献１に記載のストラップ用取り付け金具は、ストラップベルトが取り付けられた基板と、支持手段によって基板上を回動可能に支持された回転体と、を有している。基板には、ピンの軸部に対応する径で頭部の径より小径の小径穴と、ピンの頭部を挿通させる大径穴が連続して形成されている。回転体にも同様に、小径穴と大径穴が連続して形成されている。また、回転体は、取り付け板の小径穴を中心として回動可能に支持されている。
【０００６】
上記構造により、カメラ本体にストラップ用取り付け金具を取り付ける場合、基板と回転体の穴が一致した状態で、カメラ本体のピンに貫通させる。その後、回転体を回転させ、大径穴が互いにずれる状態とすることで、ストラップ用取り付け金具を、カメラ本体のピンに対して装着することができる。これにより、一般的なカメラにおけるストラップ取り付け機構と比較して、手間のかからない容易な着脱が可能となっている。
【先行技術文献】
【特許文献】
【０００７】
【特許文献１】特開平９−１４０４３９号公報
【発明の概要】
【発明が解決しようとする課題】
【０００８】
しかしながら、特許文献１に記載のストラップ用取り付け金具は、基板と回転体の２枚が重なった状態で、カメラ本体のピンに装着される構成であるため、ピンの突出が大きくなるという問題点があった。すなわち、ピンの軸部長さが、少なくとも基板の板厚と、回転体の板厚の２枚分必要となるため、ピンの軸部長さが大きくなり、結果として、ピンの突出が大きくなる。特にカメラにおいて、ストラップ取り付け用の突出部が大きいと、グリップ性が低下し、安定した撮影が難しくなるため、可能な限りピンの突出を小さくする必要がある。
【０００９】
そこで、本発明の目的は、カメラ本体のピンの突出を小さくすることができるとともに、小型でありながら着脱操作が容易なストラップ用取り付け金具を提供することにある。
【課題を解決するための手段】
【００１０】
本発明の一側面としてのストラップ用取り付け金具は、頭部と軸部を備えたピンに着脱可能なストラップ用取り付け金具であって、ストラップベルトが挿入される長穴が上部に形成されるとともに、前記ピンを挿入させるための装着穴が下部に形成されたクランク形状のベース板金と、一端が前記ベース板金の上部に取り付けられ、前記ベース板金の上部との接合部を支点として弾性変形可能な板バネ部材と、を有し、前記板バネ部材は、前記ストラップ用取り付け金具が前記ピンに固定されるロック状態と、前記ストラップ用取り付け金具が前記ピンに対して着脱可能であるロック解除状態になるように弾性変形することを特徴とする。
【発明の効果】
【００１１】
本発明によれば、カメラ本体のピンの突出を小さくすることができるとともに、小型でありながら着脱操作が容易なストラップ用取り付け金具を提供することができる。
【図面の簡単な説明】
【００１２】
【図１】ストラップユニットの斜視図である。
【図２】ストラップユニットが取り付けられるカメラの全体図である。
【図３】ストラップユニットが取り付けられた状態のカメラの全体図である。
【図４】カメラに設けられたストラップピン取り付け部の分解斜視図である。
【図５】ストラップ用取り付け金具の分解斜視図である。
【図６】ストラップ用取り付け金具の外観図である。
【図７】ストラップユニットとカメラの取り付け時の状態を表す斜視図である。
【図８】ストラップ用取り付け金具とストラップピンの取り付け時の断面図である。
【発明を実施するための形態】
【００１３】
以下に、本発明の好ましい実施の形態を、添付の図面に基づいて詳細に説明する。
【００１４】
図１はストラップユニットの斜視図であり、図２はストラップユニットが取り付けられるカメラの全体図であり、図３はストラップユニットが取り付けられた状態のカメラの全体図である。（ａ）は斜視図、（ｂ）は側面図、（ｃ）は正面図、（ｄ）（ａ）の状態からストラップユニットを回転させた状態の斜視図である。
【００１５】
ストラップユニットは、ストラップベルト１０に、カメラ２の左右側面に設けられたストラップピン２０と着脱可能なストラップ用取り付け金具（以下、取り付け金具という）１１が取り付けられたものである。ベルト１０１を取り付け金具１１の上部に設けられた長孔１１１１に挿通し、ベルト１０１の先端をまとめるための口輪１０３に通した後、格子部材１０２に通して固定することで、ストラップベルト１０と取り付け金具１１が取り付けられる。
【００１６】
図４は、カメラ２に設けられたストラップピン取り付け部の分解斜視図である。ストラップピン取り付け部は、カメラ２から露出したストラップピン２０と、ストラップピン２０をカメラ２に接続するベース部材２１と、ストラップピン２０とベース部材２１を締結するビス２２で構成されている。
【００１７】
ストラップピン２０は、頭部２０１、軸部２０２、座面２０３および取り付け部２０４から構成されている。取り付け部２０４の中央にはメネジが切られており、その一端は回転止め用にＤカットされている。ストラップピン２０は、取り付け部２０４をベース部材２１の対応する凹部に挿入し、ベース部材２１を挟んで、裏側からビス２２によって締結されている。これにより、ベース部材２１がカメラ２に強固に取り付けられ、カメラ２から露出したストラップピン２０もカメラ２に対して強固に取り付けられる。
【００１８】
このように、ストラップピン２０とベース部材２１を別部材とし、ストラップピン２０がベース部材２１を介してカメラ２に固定される方式とすることで、ストラップピン２０の形状を簡素な形状とすることができる。ストラップピン２０の形状を簡素にすることができるため、材質をステンレス鋼などの硬い金属にて形成することが簡単になる。本実施形態では、ストラップピン２０はステンレス鋼を切削して作成されており、ストラップピン２０とストラップユニットの板金が摺動する場合でもキズが付きにくい構成とすることができる。なお、ベース部材２１はステンレス鋼より比較的弱いが加工性の良い亜鉛ダイキャストで作成されている。
【００１９】
次に、取り付け金具１１について説明を行う。図５は取り付け金具１１の分解斜視図であり、（ａ）は表面側から、（ｂ）は裏面側から見た斜視図である。また、図６は取り付け金具１１の外観図であり、（ａ）は表面側から、（ｂ）は裏面側からの外観図である。図６（ｃ）は、図６（ａ）のＡ−Ａ線に沿う断面図である。ここでいう表面とはカメラ２のストラップピン２０にストラップユニットを取り付けた際に、カメラ２から遠ざかる側の面のことをいい、裏面とはその反対の面のことをいう。
【００２０】
取り付け金具１１は、ステンレス鋼などの金属板で構成されたベース板金（基板）１１１とバネ性を有する材料からなる板バネ部材１１２とから構成されている。ベース板金１１１と板バネ部材１１２は、図５（ａ）の破線で囲まれた接合部１１２１で溶接され一体化している。
【００２１】
本実施形態のベース板金１１１を側面から見ると、上下の段が平行なクランク形状となっている。本実施形態では、カメラ２の装着時に、カメラ２に近づく側を下段部（ピン取り付け面）、カメラ２から遠ざかる側を上段部（ストラップ取り付け面）として説明する。また、ベース板金１１１には、上段部および下段部と交差して、上段部と下段部とを接続する接続部が形成される。上段部の内側から下段部の外側までの寸法が、ストラップピン２０の座面２０３から頭部２０１先端までの寸法よりわずかに大きくなるように、接続部は上段部と下段部と接続する。
【００２２】
ベース板金１１１の上段部には、ベルト１０１を装着な長孔１１１１と、突起形状（突出部）１１１２が構成されている。突起形状１１１２は、裏側から半抜き加工されており、裏側は周囲の面より凹に、表側は周囲の面より凸となっている。
【００２３】
ベース板金１１１の下段部には、カメラ２のストラップピン２０を挿通させるための装着穴が設けられている。装着穴は、ストラップピン２０の軸部２０２に対応した小径孔１１１３と、ストラップピンの頭部２０１を挿通させる大径孔１１１４が設けられている。大径孔１１１４は、小径孔１１１３に連続しており、接続部にまで及んでいる。
【００２４】
ベルト１０１をベース板金１１１に取り付けるため、図１に示すように、ベルト１０１をベース板金１１１の長孔１１１１を通した後、１８０度折り返す必要がある。そのため、長孔１１１１周辺にて、ベルト１０１の取り付け部である折り返しによるふくらみ１０１０が発生する。しかし、本実施形態のベース板金１１１は断面がクランク形状となっているため、この折り返しによるふくらみ１０１０がベース板金１１１の上段部の内側から下段部の外側までの寸法内に収まるようになっている。したがって、図３（ｄ）に示すように、取り付け金具１１が１８０度回転した状態でも、ベルト１０１の折り返しがカメラ２に干渉することがない。
【００２５】
次に、板バネ部材１１２の形状について説明を行う。板バネ部材１１２には、ベース板金１１１との接合部１１２１と、弾性を有する一対の板バネ部１１２２ａ、１１２２ｂと、一対の操作部１１２３ａ、１１２３ｂと、一対のロック部（当接部）１１２４ａ、１１２４ｂと、補助バネ部１１２５にて構成されている。板バネ部材１１２は、ベース板金１１１と接合されている接合部１１２１と補助バネ部１１２５の先端にて閉じたループ形状となっている。
【００２６】
一対の板バネ部１１２２ａ、１１２２ｂは、弾性変形が可能な板バネとなっており、ベース板金１１１と接続されている板バネ部材１１２の一端である接合部１１２１を支点として、なめらかに弾性変形可能である。弾性変形することにより、一対の板バネ部１１２２ａ、１１２２ｂは、ストラップピンをストラップピン２０に取り付け可能な状態の位置と取り付け不可能な状態の位置との間を移動可能となっている。
【００２７】
一対の操作部１１２３ａ、１１２３ｂは、一対の板バネ部１１２２ａ、１１２２ｂをそれぞれ立ち曲げによって形成されている。一対の操作部１１２３ａ、１１２３ｂを操作することによって、一対の板バネ部１１２２ａ、１１２２ｂの変形させることが可能となっている。
【００２８】
一対のロック部１１２４ａ、１１２４ｂは、一対の板バネ部１１２２ａ、１１２２ｂのそれぞれの他端を曲げ起こすことによって形成されている。一対のロック部１１２４ａ、１１２４ｂは、曲げ起こしの後、さらに板金を１８０度折り返し、２枚重ねとすることにより強度アップを図っている。また、一対のロック部１１２４ａ、１１２４ｂは、それぞれ外側に延びた一対の突出部１１２４ｃ、１１２４ｄを有している。
【００２９】
補助バネ部１１２５は、一対の板バネ部１１２２ａ、１１２２ｂに連続して設けられた板バネ形状で、弱い荷重で変形するように細い板幅でなおかつスリットが形成されている。補助バネ部１１２５は、ベース板金１１１の上段部に設けられた突起形状１１１２の裏側に設けられた半抜き部分に、先端の閉じたループ部が接触するようになっている。補助バネ部１１２５は、先端に閉じたループ部を有することにより、一対の操作部１１２３ａ、１１２３ｂのいずれかを側面から押し込みながら操作した場合、一対の板バネ部１１２２ａ、１１２２ｂが内側に向かって変形する。その結果、一対のロック部１１２４ａ、１１２４ｂが重なり合うことを防止しており、一対の板バネ部１１２２ａ、１１２２ｂの動作が独立して行われるようになっている。
【００３０】
本実施形態の取り付け金具１１では、板バネ部材１１２をベース板金１１１の裏側で、ベース板金１１１の上段部の内側から下段部の外側までの寸法内に収まるように配置している。これにより、ベース板金１１１に対して板バネ部材１１２の厚みの影響を受けず、ベース板金１１１の必要スペースのみによる小型化が可能となる。
【００３１】
次に、ストラップユニットをカメラ２への取り付ける際の取り付け金具１１とストラップピン２０の取り付け方法について説明を行う。図７はストラップユニットとカメラ２の取り付け時の状態を表す斜視図であり、図８は取り付け金具１１とストラップピン２０の取り付け時の断面図である。
【００３２】
ストラップベルト１０が一体となった取り付け金具１１の着脱時におけるユーザーによる操作は、カメラ２の側面から取り付け金具１１を図７（ａ）に示す矢印方向へストラップピン２０に向けて押し当てる。すなわち、図６（ｃ）に示す状態の取り付け金具１１に対して、頭部２０１の皿部で板バネ部材１１２の一対の板バネ部１１２２ａ、１１２２ｂを変形させ、ベース板金１１１の大径孔１１１４からストラップピンの頭部２０１を通過させる。このとき、ロック部１１２４ａ、１１２４ｂは図８（ａ）に示す状態の位置（第２の位置）に位置し、ストラップユニットをストラップピン２０に取り付け可能であるロック解除状態となる。
【００３３】
次に、図７（ｂ）に示す矢印方向へストラップユニットを移動させることで、ベース板金１１１の小径孔１１１３にストラップピン２０の軸部２０２が挿入される。そのときの状態が図８（ｂ）である
その後、ベース板金１１１が、ストラップピン２０の頭部２０１と座面２０３の間に挟み込まれるとともに、同時にストラップピン２０の頭部２０１の皿部によって一対の板バネ部１１２２ａ、１１２２ｂへの押し込みが解除され、取り付けが完了する。このとき、一対のロック部１１２４ａ、１１２４ｂは、図８（ｃ）に示す状態の位置（第１の位置）に位置することで、ストラップピン２０の頭部２０１と当接し、取り付け金具１１のストッパとなる。したがって、ストラップユニットは、ストラップピン２０から取り外せないロック状態となっている。また、ストラップピン２０に装着された取り付け金具１１は、ストラップピン２０の軸を中心に回転可能となっており、図３（ｄ）に示すように、回転が可能となっている。
【００３４】
上述したように、ユーザーが、一対の操作部１１２３ａ、１１２３ｂをベース板金１１１の上段部に向けて操作することで、一対の板バネ部１１２２ａ、１１２２ｂと補助バネ部１１２５がそれぞれ弾性変形する。これによって、一対のロック部１１２４ａ、１１２４ｂはベース板金１１１の上段部に向けて弾性変形され、ストラップピン２０の頭部２０１とロック部１１２４ａ、１１２４ｂとの当接が解除された状態となる。このとき、取り付け金具１１とストラップピン２０との一関係は、図８（ｃ）に示す状態から図８（ｂ）に示す状態になるため、図８（ａ）に示す状態を経て、ストラップピン２０から取り外すことが可能となる。
【００３５】
ここで、取り付け金具１１において、板バネ部材１１２は、ベース板金１１１の裏側に配置されている。そのため、一対のロック部１１２４ａ、１１２４ｂをストラップピン２０への当接から取り外す際、直感的に分かりやすいつまみ操作によって解除操作を行うことができるため、操作性の高いストラップユニットの提供が可能となる。ここで、例えば、カメラ携行時にユーザーが操作部を誤って触れたりすることで、操作部が誤操作して取り付け金具が外れ、カメラが落下するという事故が発生する恐れがある。誤操作を配慮して操作荷重を大きくすると、操作性が低下する。
【００３６】
本実施形態では、上述の懸念を配慮し、一対のロック部１１２４ａ、１１２４ｂを動作させる一対の操作部１１２３ａ、１１２３ｂを左右に設け、それぞれを独立して動作させるようにしている。これによって、ユーザーが片方の操作部に誤って触れたりすることで、意図しない操作が行われても、片方のロック部が動作するにとどまり、取り付け金具１１が取り外されることはない。また、本実施形態の構成によって、操作部の操作荷重を低くすることができ、操作性の向上が可能である。なお、本実施形態では、操作部は２か所設けられているが、２以上の複数の操作部を設けてもよい。
【００３７】
また、取り付け金具１１の板バネ部材１１２は、バネ性を確保するため薄い金属にて形成されることが望まれているが、その場合、わずかな力が与えられても形状が変形してしまうおそれがある。
【００３８】
本実施形態では、取り付け金具１１の取り付け時である図８（ａ）に示す状態から取り付け金具１１をストラップピン２０側の方向へ強く押し込まれても、板バネ部材１１２がベース板金１１１の突起形状１１１２に当接する。これによって、板バネ部材１１２の過度な変形（塑性変形）を防止している。
【００３９】
また、図８（ｃ）に示す状態から取り付け金具１１を図中のＡ方向へ強く押し下げた場合、板バネ部材１１２のロック部１１２４ａ、１１２４ｂを延長して設けられた突出部１１２４ｃ、１１２４ｄが、ベース板金１１１の上段と下段を繋ぐ面に当接する。これによって、板バネ部材１１２の過度な変形（塑性変形）を防止している。
【００４０】
また、図８（ｃ）に示す状態から取り付け金具１１を図中のＢ方向へ強く押し込んだ場合、板バネ部材１１２のロック部１１２４ａ、１１２４ｂを延長して設けられた突出部１１２４ｃ、１１２４ｄがベース板金１１１の下段に当接する。これによって、板バネ部材１１２の過度な変形（塑性変形）を防止している。
【００４１】
このような構成により、本実施形態の取り付け金具１１は、ユーザーによる様々な意図しない操作によっても過度な変形が起こらない構成となっているので、バネ性を確保しやすい薄い金属にて板バネ部材１１２の構成が可能となっている。
【００４２】
以上、本発明の好ましい実施形態について説明したが、本発明はこれらの実施形態に限定されず、その要旨の範囲内で種々の変形及び変更が可能である。
【符号の説明】
【００４３】
２        カメラ
１１      ストラップ用取り付け金具
２０      ストラップピン
１１１    ベース板金
１１２    板バネ部材
２０１    頭部
２０２    軸部
１１１３  小径孔
１１１４  大径孔
１１２４  ロック部
【図１】
0006000648.tif 000002
【図２】
0006000648.tif 000003
【図３】
0006000648.tif 000004
【図４】
0006000648.tif 000005
【図５】
0006000648.tif 000006
【図６】
0006000648.tif 000007
【図７】
0006000648.tif 000008
【図８】
0006000648.tif 000009